(57)【要約】      （修正有）【課題】白熱電球の規格に収まる電球形蛍光ランプを提供する。【解決手段】電球用口金を有するカバー、およびカバーに取り付けられ、先端側がほぼ球状であって、直径が６０ｍｍ程度であり、カバー側が先端側に連続するとともに先端側の最大直径よりも縮径された形状に形成された透光性を有するグローブを備えた外囲器と、管径６〜１２ｍｍ、管長２００〜４２０ｍｍのバルブの両端にフィラメント電極が封装されるとともに、内部に希ガスおよび水銀が封入され、グローブの先端に螺旋状に屈曲されたバルブをグローブの周方向に配置して外囲器内に収容された屈曲形状の蛍光ランプと、蛍光ランプを点灯させる高周波インバータ回路部品を回路基板に実装して構成され、外囲器内に収容された点灯回路とを備えるため、白熱電球用の照明器具への適用範囲を広めることができる。【選択図】図１
2005123200.tif 000002
【特許請求の範囲】
【請求項１】
電球用口金を有するカバー、およびこのカバーに取り付けられ、先端側がほぼ球状であって、直径が６０ｍｍ程度であり、カバー側が先端側に連続するとともに先端側の最大直径よりも縮径された形状に形成された透光性を有するグローブを備えた外囲器と；
管径６〜１２ｍｍ、管長２００〜４２０ｍｍのバルブの両端にフィラメント電極が封装されるとともに内部に希ガスおよび水銀が封入され、螺旋状に屈曲されたバルブをグローブ周方向に配置して外囲器内に収容された屈曲形状の蛍光ランプと；
蛍光ランプを点灯させる高周波インバータ回路部品を回路基板に実装して構成され、外囲器内に収容された点灯回路と；
を具備していることを特徴とする電球形蛍光ランプ。
【請求項２】
点灯回路と蛍光ランプとを含めた装置全体の入力電力は８〜２０Ｗであることを特徴とする請求項１記載の電球形蛍光ランプ。
【発明の詳細な説明】
【技術分野】
【０００１】
本発明は、蛍光ランプを使用する電球形蛍光ランプに関する。
【背景技術】
【０００２】
従来、放電管を鞍形やＵ字形に屈曲して１本の屈曲形の放電路を形成した電球形蛍光ランプがある。
【０００３】
このような電球形蛍光ランプは、口金を有するカバーとこのカバーに固着された透光性を有するグローブとから外囲器が形成され、この外囲器内に鞍型の蛍光ランプおよび点灯回路を保持したホルダが収容される（例えば、特許文献１参照）。
【０００４】
そして、電球形蛍光ランプの外囲器の形状は、円筒状に細長い形状や球状に丸い形状であり、白熱電球の規格形状とは異なっている。また、外囲器の寸法は、口金を含む高さが１８３mm程度、直径が７０mm程度であり、白熱電球の規格寸法である口金を含む高さが１１０mm程度、直径が６０mm程度よりも大きい寸法になっている。
【特許文献１】特開昭６３−２４５８０４号公報
【発明の開示】
【発明が解決しようとする課題】
【０００５】
従来の電球形蛍光ランプでは、白熱電球の規格形状とは異なり、白熱電球の規格寸法内にも収まらず、白熱電球を使用する照明器具への適用範囲が制限されている。
【０００６】
本発明は、このような点に鑑みなされたもので、白熱電球の規格に収まる電球形蛍光ランプを提供することを目的とする。
【課題を解決するための手段】
【０００７】
請求項１記載の電球形蛍光ランプは、電球用口金を有するカバー、およびこのカバーに取り付けられ、先端側がほぼ球状であって、直径が６０ｍｍ程度であり、カバー側が先端側に連続するとともに先端側の最大直径よりも縮径された形状に形成された透光性を有するグローブを備えた外囲器と；管径６〜１２ｍｍ、管長２００〜４２０ｍｍのバルブの両端にフィラメント電極が封装されるとともに内部に希ガスおよび水銀が封入され、螺旋状に屈曲されたバルブをグローブ周方向に配置して外囲器内に収容された屈曲形状の蛍光ランプと；蛍光ランプを点灯させる高周波インバータ回路部品を回路基板に実装して構成され、外囲器内に収容された点灯回路と；を具備していることを特徴とするものであり、白熱電球の規格寸法内に収められている。
【０００８】
請求項２記載の電球形蛍光ランプは、請求項１記載の電球形蛍光ランプにおいて、点灯回路と蛍光ランプとを含めた装置全体の入力電力は８〜２０Ｗであることを特徴とするものである。入力電力が８〜２０Ｗの蛍光ランプにより、４０〜８０Ｗの白熱電球の明るさが得られる。
【発明の効果】
【０００９】
請求項１記載の電球形蛍光ランプによれば、電球用口金を有するカバー、およびカバーに取り付けられ、先端側がほぼ球状であって、直径が６０ｍｍ程度であり、カバー側が先端側に連続するとともに先端側の最大直径よりも縮径された形状に形成された透光性を有するグローブを備えた外囲器と、管径６〜１２ｍｍ、管長２００〜４２０ｍｍのバルブの両端にフィラメント電極が封装されるとともに、内部に希ガスおよび水銀が封入され、グローブの先端に螺旋状に屈曲されたバルブをグローブの周方向に配置して外囲器内に収容された屈曲形状の蛍光ランプと、蛍光ランプを点灯させる高周波インバータ回路部品を回路基板に実装して構成され、外囲器内に収容された点灯回路とを備えるため、白熱電球用の照明器具への適用範囲を広めることができる。
【００１０】
請求項２記載の電球形蛍光ランプによれば、請求項１記載の電球形蛍光ランプの効果に加えて、入力電力が８〜２０Ｗの蛍光ランプにより、４０〜８０Ｗの白熱電球の明るさが得られ、省電力化を図れる。
【発明を実施するための最良の形態】
【００１１】
以下、本発明の電球形蛍光ランプの一実施の形態の構成を図面を参照して説明する。
【００１２】
まず、第１の実施の形態を図１および図２に示す。図１は電球形蛍光ランプの断面図、図２は電球形蛍光ランプの発光特性を示すグラフである。
【００１３】
図１において、11は外囲器で、この外囲器11は、口金12を有するカバー13と透光性を有するグローブ14とから白熱電球の規格形状に形成されているとともに、口金12を含む高さＬが１１０mm程度、直径Ｄが６０mm程度、容積が１００cm3程度の白熱電球の規格寸法に形成されている。
【００１４】
カバー13は、ＰＢＴ樹脂などの耐熱性合成樹脂にて形成され、カバー13の一端には口金12との結合用の円筒部15が一体形成され、他端にはグローブ14と嵌合される円筒状のカバー部16が形成されている。円筒部15にはエジソンタイプのＥ２６型などのねじ込み型の口金12が被着されるとともに接着剤またはかしめなどによって固定されている。
【００１５】
グローブ14は、透明または光拡散性の合成樹脂またはガラスにて、カバー13のカバー部16に嵌合される開口部17を有するほぼ球状に形成され、開口部17の縁部にはカバー部16の内側に嵌合して接着剤などによって固定される嵌合部18が形成されている。
【００１６】
また、カバー13内には、点灯回路としてのインバータ回路19が収容されている。このインバータ回路19は、２枚の回路基板20にトランジスタインバータを用いた高周波点灯用の回路部品21が実装されて構成されている。２枚の回路基板20は並行してカバー13の長手方向に沿って機械的に支持され、インバータ回路19の電源入力部が口金12と電気的に接続されている。
【００１７】
また、外囲器11内にはインバータ回路19側に支持されて蛍光ランプ22が収容されている。この蛍光ランプ22は、ガラス製のバルブ23を有し、バルブ23の内面に蛍光体膜が形成されるとともに内部にアルゴンなどの希ガスおよび水銀が封入され、両端23a ，23b にはフィラメント電極24が封装されている。
【００１８】
バルブ23の一端23a および他端23b がインバータ回路19側に機械的に支持され、各フィラメント電極24に接続された図示しない外部リード線がインバータ回路19の高周波出力部に電気的に接続されている。
【００１９】
バルブ23は、バルブ管外径が６〜１２mm、バルブ肉厚が０．７５mmで、バルブ管長が２００〜４００mmであり、一端23a 側から螺旋状に屈曲される螺旋部25が形成されているとともに、その螺旋部25の先端部26から他端23b 側に向けて螺旋部25のほぼ中心軸を通る戻り部27が形成されており、これによって１本の蛇行状の放電路が形成されている。先端部26には、バルブ23内の空気の排気および希ガスの封入後に封止される排気部28が位置する。
【００２０】
そして、インバータ回路19からの出力はランプ電流９０〜２２０mA、ランプ電圧８０〜１１０Ｖであり、約４５kHz の高周波で蛍光ランプ22へ入力される。蛍光ランプ装置全体の入力電力は８〜２０Ｗ程度である。また、蛍光ランプ22は、口金12を含む高さＬが１１０mmおよび直径Ｄが６０mmの範囲内に収納されるように高密度に形成、配設される。
【００２１】
また、カバー13とグローブ14と間には、インバータ回路19が収容される点灯回路収容空間ｂと蛍光ランプ22が収容される蛍光ランプ収容空間ａとを仕切る仕切板29が配設されている。この仕切板29は、円板状に形成され、バルブ23の両端23a ，23b が挿通される挿通孔30a ，30b が形成されている。仕切板29はカバー13のカバー部16の内周面に接合されて接着剤などによって固定されている。
【００２２】
そして、仕切板29によって仕切られる蛍光ランプ収容空間ａの容積をＡ、点灯回路収容空間ｂの容積をＢとすると、Ａ／Ｂ≧２、という容積の関係に形成されている。
【００２３】
以上のように構成された電球形蛍光ランプでは、口金12を含む高さが１１０mmおよび直径が６０mmの範囲内に高密度に屈曲形成されたバルブ23を有する蛍光ランプ22を備えるとともに、この蛍光ランプ22を収容する白熱電球形状の外囲器11を備えるため、白熱電球の規格寸法内に収めることができるとともに、白熱電球の規格形状に適合でき、外観も白熱電球と同様なので違和感がなく、白熱電球用の照明器具への適用範囲を広めることができる。
【００２４】
しかも、蛍光ランプ22は、入力電力が８〜２０Ｗで４０〜８０Ｗ相当の白熱電球に相当する４００〜１０００lmの明るさが得られ、省電力化を図れる。
【００２５】
さらに、蛍光ランプ22のバルブ23が、一端23a 側が螺旋状に屈曲されるとともに、他端23b 側が螺旋のほぼ中心軸に通されているため、蛍光ランプ22の点灯時の配光を均一にできる。
【００２６】
また、蛍光ランプ22のバルブ23の中心軸の先端に排気部28が形成されるため、バルブ23のフィラメント電極24を有する端部に設ける場合に比べて、バルブ23の端部の構造を簡単にできるとともに容易に製造できる。
【００２７】
また、インバータ回路19の回路部品21を搭載する２枚の回路基板20が並行してカバー13の長手方向に沿って配設されるため、効率的に実装できる。
【００２８】
ところで、蛍光ランプ収容空間ａの蛍光ランプ22から発生する熱と点灯回路収容空間ｂのインバータ回路19から発生する熱とが仕切板29を通じて互いに輻射熱として伝わる。一般に、蛍光ランプ収容空間ａより点灯回路収容空間ｂの発熱が大きいために、点灯回路収容空間ｂの熱が蛍光ランプ収容空間ａに流れ込む。従来の蛍光ランプ装置の蛍光ランプ収容空間ａの容積Ａと点灯回路収容空間ｂの容積Ｂとの容積比は、Ａ／Ｂ＝１．５〜１．８程度であったが、この容積比では、点灯回路収容空間ｂからの熱により蛍光ランプ収容空間ａの温度が上昇し、周囲温度に影響されやすい蛍光ランプ22の特性に悪影響、例えば、図２に示すように、発光効率の低下が生じることが実験によりわかった。
【００２９】
そこで、本実施の形態の蛍光ランプ装置では、蛍光ランプ収容空間ａの容積Ａと点灯回路収容空間ｂの容積Ｂとの容積比を、Ａ／Ｂ≧２とした。この容積比により、点灯回路収容空間ｂからの熱による蛍光ランプ収容空間ａの温度上昇が減少し、図２に示すように、蛍光ランプ22の発光効率が従来に比べて約２０％程度向上させることができる。
【００３０】
次に、第２の実施の形態を図３に示す。図３は電球形蛍光ランプの蛍光ランプの底面図である。
【００３１】
蛍光ランプ22のバルブ23は、インバータ回路19側の一端23a からほぼＵ字状に屈曲されるとともにその逆方向にほぼＵ字状に屈曲されるというように蛇行状に屈曲を複数回順次繰り返して、他端23b がインバータ回路19側に戻り、かつ、全体としてほぼ円筒状に配置される。
【００３２】
このようなバルブ23の屈曲形状によっても、口金12を含む高さＬが１１０mmおよび直径Ｄが６０mmの白熱電球の規格寸法の範囲内に高密度に配置でき、図１に示す第１の実施の形態の外囲器11内に収容することができる。
【００３３】
次に、第３の実施の形態を図４および図５に示す、図４は蛍光ランプの一部の斜視図、図５は図４のＡ−Ａ断面図である。
【００３４】
蛍光ランプ22のバルブ23は、ほぼＵ字状に屈曲された第１の屈曲管部31とほぼＵ字状に屈曲された第２の屈曲管部32とを備え、両屈曲管部31，32の一方の端部間が中央屈曲部33を介して連通されて、１本の蛇行した放電路が形成され、かつ、屈曲管部31，32が交差状に配置されて、第２の屈曲管部32の頂部が第１の屈曲管部31の内側を通されている。第２の屈曲管部32の第１の屈曲管部31の内側を通る部分には、細管状のブリッヂ部32a が形成されている。
【００３５】
このようなバルブ23の屈曲形状によって、図５に示すように、両屈曲管部31，32を互いに近接配置できるため、口金12を含む高さＬが１１０mmおよび直径Ｄが６０mmの白熱電球の規格寸法の範囲内に高密度に配置でき、図１に示す第１の実施の形態の外囲器11内に収容することができる。
【００３６】
次に、第４の実施の形態を図６に示す。図６は電球形蛍光ランプの蛍光ランプの一部の側面図である。
【００３７】
蛍光ランプ22のバルブ23は、先端側を連通する細い連通管41a を介してほぼＨ字状に形成された第１の屈曲管部41と先端側を連通する細い連通管42a を介してほぼＨ字状に形成された第２の屈曲管部42とを備え、各屈曲管部41，42の一方の端部間が図示しない中央連通管（図５に示す第３の実施の形態の中央屈曲部33に相当する）を介して連通されて、１本の放電路が形成され、かつ、屈曲管部41，42が交差状に配置されて、第２の屈曲管部42の連通管42a が第１の屈曲管部41の内側を通されている。
【００３８】
このようなバルブ23の屈曲形状によって、両屈曲管部41，42を互いに近接配置できるため、口金12を含む高さＬが１１０mmおよび直径Ｄが６０mmの白熱電球の規格寸法の範囲内に高密度に配置でき、図１に示す第１の実施の形態の外囲器11内に収容することができる。
【００３９】
次に、第５の実施の形態を図７に示す。図７は電球形蛍光ランプの蛍光ランプの底面図である。
【００４０】
蛍光ランプ22のバルブ23は、近接配置される４本の管部51を有し、隣接する管部を細い連通管52で連通されて、１本の放電路が形成されている。
【００４１】
このようなバルブ23の屈曲形状によって、４本の管部51を互いに近接配置できるため、口金12を含む高さＬが１１０mmおよび直径Ｄが６０mmの白熱電球の規格寸法の範囲内に高密度に配置でき、図１に示す第１の実施の形態の外囲器11内に収容することができる。
【００４２】
なお、蛍光ランプ22としては、前記実施の形態の他、バルブ23の両端23a ，23b に冷陰極電極を封装したものや、無電極形蛍光ランプを用いてもよい。
【００４３】
次に、第６の実施の形態を図８に示す。図８は電球形蛍光ランプの側面図である。
【００４４】
外囲器11のグローブ14は、このグローブ14のほぼ最大直径の部分で基端側分割部14a と先端側分割部14b とに２分割形成されている。
【００４５】
そして、蛍光ランプ装置の組立時には、カバー13と基端側分割部14a とを嵌合固定し、基端側分割部14a の最大直径の開口部分から蛍光ランプ22を挿入装着した後、蛍光ランプ22を覆って先端側分割部14b を基端側分割部14a に嵌合し、嵌合部分を接着剤などによって固定する。
【００４６】
このように、グローブ14のほぼ最大直径の部分で２分割形成することにより、グローブ14内の空間を最大限に利用して蛍光ランプ22の形状、寸法を設定できる。すなわち、グローブ14の開口部17を通じてグローブ14内に蛍光ランプ22を収納する構造では、蛍光ランプ22が開口部17を挿通可能とする形状、寸法に規制されるが、本実施の形態のように、グローブ14のほぼ最大直径の部分で２分割形成した構造では、グローブ14内に収容可能とする形状、寸法の範囲にあれば、そのグローブ14内の空間を最大限に利用した形状、寸法の蛍光ランプ22でもグローブ14内に収容できる。例えば図１に示す電球形蛍光ランプのように、グローブ14の回転軸と直交する方向を軸とした螺旋形状バルブを有する蛍光ランプ22が収容可能である。
【００４７】
したがって、グローブ14のほぼ最大直径の部分で２分割形成することにより、蛍光ランプ装置を白熱電球の規格寸法内に収めるように小形化しても、蛍光ランプ22の形状、寸法を有効に設定することより、ランプ性能を向上させることができる。
【図面の簡単な説明】
【００４８】
【図１】本発明の第１の実施の形態を示す電球形蛍光ランプの断面図である。
【図２】同上実施の形態の電球形蛍光ランプの発光特性を示すグラフである。
【図３】本発明の第２の実施の形態を示す電球形蛍光ランプの蛍光ランプの底面図である。
【図４】本発明の第３の実施の形態を示す電球形蛍光ランプの蛍光ランプの一部の斜視図である。
【図５】同上実施の形態の図４のＡ−Ａ断面図である。
【図６】本発明の第４の実施の形態を示す電球形蛍光ランプの蛍光ランプの一部の側面図である。
【図７】本発明の第５の実施の形態を示す電球形蛍光ランプの蛍光ランプの底面図である。
【図８】本発明の第６の実施の形態を示す電球形蛍光ランプの側面図である。
【符号の説明】
【００４９】
11 外囲器、12 口金、13 カバー、14 グローブ、
19 点灯回路としてのインバータ回路、20 回路基板、22 蛍光ランプ、
23 バルブ、28 排気部、29 仕切板、ａ 蛍光ランプ収容空間
【図１】
2005123200.tif 000003
【図２】
2005123200.tif 000004
【図３】
2005123200.tif 000005
【図４】
2005123200.tif 000006
【図５】
2005123200.tif 000007
【図６】
2005123200.tif 000008
【図７】
2005123200.tif 000009
【図８】
2005123200.tif 000010